(57)【要約】【課題】ばね式防振器の内部点検が可能で、かつ、ばね式防振器の内部への雨水等の浸入を防止することが可能なばね式防振器の防護カバー装置を提供する。【解決手段】本発明にかかるばね式防振器の防護カバー装置は、第一のばねの第一の内管側端部の外側かつ外管の外周上に設けられる第一のプレートと、第二のばねの第二の内管側端部の外側かつ外管の外周上に設けられる第二のプレートと、第一のプレートと第二のプレートを接続する複数のガイド棒と、一方の端部は第一のプレートまたは第二のプレートに固定され、軸方向の長さは第一のプレートと第二のプレート間の距離以上であり、軸方向と垂直な断面における内側の線の長さは少なくともスリットを含む外管の上面を覆うことが可能な長さであって、開閉が可能な防護カバー本体と、からなることを特徴とする。【選択図】図２
2011106616.tif 000002
【特許請求の範囲】
【請求項１】
外部と接続される第一の内管と、
前記第一の内管を嵌挿し、かつ、溶接により前記第一の内管に固着され、軸方向に長い一または複数の対をなすスリットを有する外管と、
前記外管の前記第一の内管と反対側に嵌挿され、前記スリットを貫通するピンを有する、外部と接続される第二の内管と、
前記ピンに固定され、前記外管に環装されるリングと、
前記リングから前記第一の内管側に、前記外管を嵌挿して設けられる第一のばねと、
前記リングから前記第二の内管側に、前記外管を嵌挿して設けられる第二のばねと、
前記第一のばねの前記第一の内管側端部の外側かつ前記外管の外周上に装着される第一の調整ナットと、
前記第二のばねの前記第二の内管側端部の外側かつ前記外管の外周上に装着される第二の調整ナットと、
を備えるばね式防振器の防護カバー装置であって、
前記第一のばねの前記第一の内管側端部の外側かつ前記外管の外周上に設けられる第一のプレートと、
前記第二のばねの前記第二の内管側端部の外側かつ前記外管の外周上に設けられる第二のプレートと、
前記第一のプレートと前記第二のプレートを接続する複数のガイド棒と、
一方の端部は前記第一のプレートまたは前記第二のプレートに固定され、軸方向の長さは前記第一のプレートと前記第二のプレート間の距離以上であり、軸方向と垂直な断面における内側の線の長さは少なくとも前記スリットを含む前記外管の上面を覆うことが可能な長さであって、開閉が可能な防護カバー本体と、
からなることを特徴とするばね式防振器の防護カバー装置。
【請求項２】
前記防護カバー本体は、該防護カバー本体の、前記第一のプレートまたは前記第二のプレートに固定されている端部と反対側の端部付近の表面に、フック係止部を備えていることを特徴とする請求項１に記載のばね式防振器の防護カバー装置。
【請求項３】
外部と接続される第一の内管と、
前記第一の内管を嵌挿し、かつ、溶接により前記第一の内管に固着され、軸方向に長い一または複数の対をなすスリットを有する外管と、
前記外管の前記第一の内管と反対側に嵌挿され、前記スリットを貫通するピンを有する、外部と接続される第二の内管と、
前記ピンに固定され、前記外管に環装されるリングと、
前記リングから前記第一の内管側に、前記外管を嵌挿して設けられる第一のばねと、
前記リングから前記第二の内管側に、前記外管を嵌挿して設けられる第二のばねと、
前記第一のばねの前記第一の内管側端部の外側かつ前記外管の外周上に装着される第一の調整ナットと、
前記第二のばねの前記第二の内管側端部の外側かつ前記外管の外周上に装着される第二の調整ナットと、
を備えるばね式防振器の防護カバー装置であって、
前記第一のばねの前記第一の内管側端部の外側かつ前記外管の外周上に設けられる第一のプレートと、
前記第二のばねの前記第二の内管側端部の外側かつ前記外管の外周上に設けられる第二のプレートと、
前記第一のプレートと前記第二のプレートを接続する複数のガイド棒と、
一方の端部は前記第一のプレートまたは前記第二のプレートに固定され、軸方向の長さは前記第一のプレートと前記第二のプレート間の距離以上であり、軸方向と垂直な断面における内側の線の長さは少なくとも前記スリットを含む前記外管の上面を覆うことが可能な長さである透明な防護カバー本体と、
からなることを特徴とするばね式防振器の防護カバー装置。
【請求項４】
外部と接続される第一の内管と、
前記第一の内管を嵌挿し、かつ、溶接により前記第一の内管に固着され、軸方向に長い一または複数の対をなすスリットを有する外管と、
前記外管の前記第一の内管と反対側に嵌挿され、前記スリットを貫通するピンを有する第二の内管と、
前記ピンに固定され、前記外管に環装され、かつ、外部と接続されるリングと、
前記リングから前記第一の内管側に、前記外管を嵌挿して設けられる第一のばねと、
前記リングから前記第二の内管側に、前記外管を嵌挿して設けられる第二のばねと、
前記第一のばねの前記第一の内管側端部の外側かつ前記外管の外周上に装着される第一の調整ナットと、
前記第二のばねの前記第二の内管側端部の外側かつ前記外管の外周上に装着される第二の調整ナットと、
を備えるばね式防振器の防護カバー装置であって、
第一の防護カバー部と第二の防護カバー部とからなり、
前記第一の防護カバー部は、
前記第一のばねの前記第一の内管側端部の外側かつ前記外管の外周上に設けられる第一のプレートと、
前記第一のばねの前記リング側端部の外側かつ前記外管の外周上に設けられる第三のプレートと、
一方が前記第一のプレートを移動自在に貫通し、他方が前記第三のプレートに接続される複数の第一のガイド棒と、
一方の端部は前記第一のプレートに固定され、軸方向の長さは前記第一のプレートと前記第三のプレート間の最大距離以上であり、軸方向と垂直な断面における内側の線の長さは少なくとも前記スリットを含む前記外管の上面を覆うことが可能な長さであって、開閉が可能な第一の防護カバー本体と、
からなり、
前記第二の防護カバー部は、
前記第二のばねの前記第二の内管側端部の外側かつ前記外管の外周上に設けられる第二のプレートと、
前記第二のばねの前記リング側端部の外側かつ前記外管の外周上に設けられる第四のプレートと、
一方が前記第二のプレートを移動自在に貫通し、他方が前記第四のプレートに接続される複数の第二のガイド棒と、
一方の端部は前記第二のプレートに固定され、軸方向の長さは前記第二のプレートと前記第四のプレート間の最大距離以上であり、軸方向と垂直な断面における内側の線の長さは少なくとも前記スリットを含む前記外管の上面を覆うことが可能な長さであって、開閉が可能な第二の防護カバー本体と、
からなることを特徴とするばね式防振器の防護カバー装置。
【発明の詳細な説明】
【技術分野】
【０００１】
本発明は、火力発電所や化学プラントなどで使用されている配管、特に高温、高圧の配管において地震などにより生じる振動を減衰させるために設置されているばね式防振器の防護カバー装置に関する。
【背景技術】
【０００２】
図７から図９を用いてばね式防振器を説明する。図７は、ばね式防振器の構成を説明する図であり、（ａ）は軸方向に沿う一部断面図、（ｂ）は（ａ）を軸の周りに９０度回転させたときの平面図（一部省略）である。図８は、ばね式防振器の動作を説明する図である。図９は、十字型のピンを説明するための軸に垂直な断面図である。
【０００３】
火力発電所や化学プラントは様々な配管系統から構成されている。地震の発生や系統の運転により、これらの配管系統に生じる振動を減衰させるために、配管にはばね式防振器が設置されている。ばね式防振器はコイルばねを備えており、荷重が加わると伸縮するばねの性質を利用して、配管に加わる振動エネルギーを減少させることにより、配管の振動を減衰させる装置である。
【０００４】
火力発電所や化学プラントなどで設置されているばね式防振器には、一般に、コイルばねを１個備えるものと、２個備えるものがある。コイルばねを２個備えるものは、１個備えるものよりも高い防振効果を有するため、系統運転時に配管に生じる振動エネルギーが大きい高温、高圧流体用の大口径の配管に用いられることが多い。
【０００５】
図７は、コイルばねを２個備えるばね式防振器の例を示している。図７に示すように、コイルばねを２個備える一般的なばね式防振器１０は、第一の内管１１、軸方向に長い一または複数の対をなすスリット１６を有する外管１２、スリット１６を貫通するピン１７を有する第二の内管１３、リング１８、第一のばね１４、第二のばね１５、第一の調整ナット１９、および第二の調整ナット２０から構成される。
【０００６】
第一の内管１１は、その閉じられた外側の端部が、配管１０５を覆う配管カバー１０６に設けられた外部係止部材（配管側）１０１に、ピン（図示せず）により係止されることにより、外部と接続されている。外管１２は、第一の内管１１を嵌挿し、かつ、溶接により第一の内管１１に固着されている。その溶接箇所を溶接部ｗとして示す。第二の内管１３は、外管１２の第一の内管１１と反対側に嵌挿され、第二の内管１３の閉じられた外側の端部に設けられた係止部１０３が、係止ピン１０４により外部係止部材（構造物側）１０２に係止されることにより、外部と接続されている。第二の内管１３は、ピン１７がスリット１６内を移動可能な範囲で、外管１２内を軸方向に移動可能である。
【０００７】
リング１８は、ピン１７に固定され、かつ、外管１２に環装される。第一のばね１４は、リング１８から第一の内管１１側に、外管１２を嵌挿して設けられる。第二のばね１５は、リング１８から第二の内管１３側に、外管１２を嵌挿して設けられる。第一の調整ナット１９は、第一のばね１４の第一の内管１１側端部の外側かつ外管１２の外周上に、例えば、外管１２の端部表面に加工されたねじ溝にねじ込まれることにより装着される。第二の調整ナット２０は、第二のばね１５の第二の内管１３側端部の外側かつ外管１２の外周上に、第一の調整ナット１９と同様に、例えば、外管１２の端部表面に加工されたねじ溝にねじ込まれることにより装着される。
【０００８】
ばね式防振器１０の配管１０５への接続は以下のように行う。すなわち、はじめ第一の内管１１は外管１２に溶接されておらず外管１２内を軸方向に移動することが可能である。まず、第一の内管１１および第二の内管１２をそれぞれ外部係止部材（配管側）１０１および外部係止部材（構造物側）１０２への係止により外部と接続する。そして、系統の定格運転時に、配管の熱膨張などによる配管への荷重を考慮して、ピン１７がスリット１６のほぼ中央に位置するように、外管１２に対する第一の内管１１の相対位置が決定される。そして、その位置で第一の内管１１は外管１２に溶接により固着される。
【０００９】
地震の発生や運転中の系統の過渡変化により、配管１０５に振動が生じると、その振動エネルギーがばね式防振器１０に伝達する。配管１０５の振動とともに第一の内管１１および第一の内管１１に溶接された外管１２が振動する。第二の内管１３は外部と係止部１０３を介して接続されているため、第一の内管１１および外管１２は、第二の内管１３に対し、相対的に振動する。第一の内管１１および外管１２を基準にして見ると、第二の内管１３が第一の内管１１および外管１２に対して相対的に振動していることになり、第二の内管１３に固定されたピン１７が外管１２に設けられたスリット１６内を移動することになる。
【００１０】
ピン１７がスリット１６内を移動すると、ピン１７に固定されたリング１８も外管１２上を軸方向に移動し、第一のばね１４および第二のばね１５をそれぞれ伸長または収縮させる。第一のばね１４および第二のばね１５の伸長や収縮により、配管１０５からばね式防振器１０に伝達された振動エネルギーが消費される。このようにして、配管１０５の振動は減衰する。
【００１１】
図８を用いて、ばね式防振器１０の動作についてさらに詳しく説明する。図８は、地震の発生などにより配管１０５に振動が生じ、配管１０５が白抜き矢印の方向に移動した場合を示している。配管１０５が白抜き矢印の方向に移動すると、配管１０５に接続された第一の内管１１および外管１２も、第二の内管１３に対して、白抜き矢印の方向に移動する。これは、第一の内管１１および外管１２を基準にして見れば、第二の内管１３が外管１２内を白抜き矢印と反対方向に移動することになる。図８は、第二の内管１３に固定されたピン１７がスリット１６端部まで移動した状態を示している。第二の内管１３の移動に伴い、図８に示すように、ピン１７に固定されたリング１８は、第一のばね１４を収縮させ、第二のばね１５を伸長させる。第一のばね１４および第二のばね１５の収縮および伸長により、配管１０５からばね式防振器１０に伝達された振動エネルギーは消費される。
【００１２】
配管１０５が白抜き矢印と反対の方向に移動した場合は、上記と逆の現象が生じる。これを繰り返すことにより、配管１０５からばね式防振器１０に伝達された振動エネルギーは、第一のばね１４および第二のばね１５の伸長や収縮により消費されて、配管１０５の振動は減衰する。
【００１３】
さて、ばね式防振器１０は上述した通りスリット１６を有するため、ばね式防振器１０が設置されたときにスリット１６が外管１２上面に開口している場合は、スリット１６から雨水が浸入することになる。特に、ばね式防振器１０が屋外に設置されている場合は、スリット１６から雨水が浸入しやすい。ばね式防振器１０は傾斜して設置されていることが多いため、スリット１６から浸入した雨水は、第一の内管１１または第二の内管１３のうち下方にある方の端部に移動する。第一の内管１１や第二の内管１３には通常、水抜き孔などの排水機構が設けられていないため、第一の内管１１や第二の内管１３の端部に移動した雨水は、そこに滞留する。
【００１４】
そうすると、滞留した雨水により、第一の内管１１や第二の内管１３の内部で腐食が進み、第一の内管１１や第二の内管１３の減肉が生じる。さらに、浸入する雨水の量が多くなると滞留した雨水は外管１２の内部においても腐食を進行させ外管１２の減肉が生じる。雨水の滞留は外管１２のスリット１６端部まで達しうる。この減肉により第一の内管１１、第二の内管１３および外管１２の強度が低下する。そして、第一の内管１１、第二の内管１３または外管１２が第一のばね１４や第二のばね１５の張力に抗しきれなくなると、減肉により強度が低下した部位で、第一の内管１１、第二の内管１３または外管１２が破断するという不具合が生じることにもなる。なお、この不具合は、ばね式防振器１０が、図７や図８に示すように、一対のスリット１６とスリット１６内を移動する縦長のピン１７を有する場合だけでなく、図９に示すように、二対のスリット８６と、スリット８６内を移動する断面が十字型のピン８７を有する場合も同様である。
【００１５】
一般に、構造物へ浸入した雨水や泥水等による構造物内部の腐食を防止するために、浸入した雨水や泥水等を外部に排出するための排水機構を設けることが知られている。例えば特許文献１や特許文献２に開示される技術では、排水機構を設けることにより、雨水等の構造物内部における滞留を防止することができるとしている。しかし、この方法では、排水機構が異物により閉塞した場合には、内部に滞留した水を適切に排出することができない。また、雨水等の構造物への浸入そのものを防止することはできない。
【００１６】
雨水等の構造物への浸入そのものを防止する技術としては、構造物への雨水等の浸入部にシールを施すものがある。特許文献３には、筒型マウントの取付部位に設けられる、水等の浸入を防止するためのシール部材が開示されている。また、特許文献４には、内筒金具の軸方向端部からの水の浸入を長期間に亘って防止可能な環状シールゴムが開示されている。
【先行技術文献】
【特許文献】
【００１７】
【特許文献１】特開平９−１５８９７７号公報
【特許文献２】特開２００８−２０７６４９号公報
【特許文献３】特開２０００−２１３５９７号公報
【特許文献４】特開２００２−８１５０２号公報
【発明の概要】
【発明が解決しようとする課題】
【００１８】
ところで、ばね式防振器１０は、その健全性を評価するために定期的に外観点検を行い、外管１２に設けられたスリット１６周辺、スリット１６を通して外部から確認可能なばね式防振器１０内部、第一のばね１４および第二のばね１５等を定期的に目視にて確認する必要がある。しかし、特許文献３や特許文献４のように、スリット１６からの雨水等の浸入を防止するために、スリット１６周辺をシールすると、ばね式防振器１０の内部を目視により点検することができないという問題が生じる。
【００１９】
本発明は、上記の課題に鑑み、ばね式防振器の内部点検が可能で、かつ、ばね式防振器の内部への雨水等の浸入を防止することが可能なばね式防振器の防護カバー装置を提供することを目的とする。
【課題を解決するための手段】
【００２０】
上記課題を解決するために、本発明にかかるばね式防振器の防護カバー装置の代表的な構成は、外部と接続される第一の内管と、第一の内管を嵌挿し、かつ、溶接により第一の内管に固着され、軸方向に長い一または複数の対をなすスリットを有する外管と、外管の第一の内管と反対側に嵌挿され、スリットを貫通するピンを有する、外部と接続される第二の内管と、ピンに固定され、外管に環装されるリングと、リングから第一の内管側に、外管を嵌挿して設けられる第一のばねと、リングから第二の内管側に、外管を嵌挿して設けられる第二のばねと、第一のばねの第一の内管側端部の外側かつ外管の外周上に装着される第一の調整ナットと、第二のばねの第二の内管側端部の外側かつ外管の外周上に装着される第二の調整ナットと、を備えるばね式防振器の防護カバー装置であって、第一のばねの第一の内管側端部の外側かつ外管の外周上に設けられる第一のプレートと、第二のばねの第二の内管側端部の外側かつ外管の外周上に設けられる第二のプレートと、第一のプレートと第二のプレートを接続する複数のガイド棒と、一方の端部は第一のプレートまたは第二のプレートに固定され、軸方向の長さは第一のプレートと第二のプレート間の距離以上であり、軸方向と垂直な断面における内側の線の長さは少なくともスリットを含む外管の上面を覆うことが可能な長さであって、開閉が可能な防護カバー本体と、からなることを特徴とする。
【００２１】
かかる構成によれば、系統運転中は防護カバー本体を広げて閉じることにより、スリットを含め、ばね式防振器の上面を防護カバー本体により覆うことができる。このため、スリットからばね式防振器内部へ雨水等が浸入することを防止することができる。また、ばね式防振器の外観点検時には、防護カバー本体を第一のプレートまたは第二のプレートに固定される一方の端部側へ畳んで寄せることにより開くことができる。これにより、ばね式防振器の上面を露出させてスリット周辺、スリットを通して外部から確認可能なばね式防振器内部、第一のばね、第二のばね等の外観点検を行うことができる。
【００２２】
上記の防護カバー本体は、防護カバー本体の、第一のプレートまたは第二のプレートに固定されている端部と反対側の端部付近の表面に、フック係止部を備えているとよい。かかる構成によれば、フック棒等のフックをフック係止部に係止させることにより防護カバー本体を広げたり畳んだりすることができる。従って、ばね式防振器との距離が離れている場合でも、容易に防護カバー本体の開閉を行うことができる。ばね式防振器との距離が離れておらず、手で防護カバー本体の開閉を行う場合であっても、フック係止部を把持することにより、開閉を容易に行うことができる。
【００２３】
本発明にかかるばね式防振器の防護カバー装置の他の代表的な構成は、外部と接続される第一の内管と、第一の内管を嵌挿し、かつ、溶接により第一の内管に固着され、軸方向に長い一または複数の対をなすスリットを有する外管と、外管の第一の内管と反対側に嵌挿され、スリットを貫通するピンを有する、外部と接続される第二の内管と、ピンに固定され、外管に環装されるリングと、リングから第一の内管側に、外管を嵌挿して設けられる第一のばねと、リングから第二の内管側に、外管を嵌挿して設けられる第二のばねと、第一のばねの第一の内管側端部の外側かつ外管の外周上に装着される第一の調整ナットと、第二のばねの第二の内管側端部の外側かつ外管の外周上に装着される第二の調整ナットと、を備えるばね式防振器の防護カバー装置であって、第一のばねの第一の内管側端部の外側かつ外管の外周上に設けられる第一のプレートと、第二のばねの第二の内管側端部の外側かつ外管の外周上に設けられる第二のプレートと、第一のプレートと第二のプレートを接続する複数のガイド棒と、一方の端部は第一のプレートまたは第二のプレートに固定され、軸方向の長さは第一のプレートと第二のプレート間の距離以上であり、軸方向と垂直な断面における内側の線の長さは少なくともスリットを含む外管の上面を覆うことが可能な長さである透明な防護カバー本体と、からなることを特徴とする。
【００２４】
かかる構成によれば、系統運転中は、スリットを含め、ばね式防振器の上面は防護カバー本体により覆われているため、スリットからばね式防振器内部へ雨水等が浸入することを防止することができる。また、ばね式防振器の外観点検時には、防護カバー本体が透明であるため、スリット周辺、スリットを通して外部から確認可能なばね式防振器内部、第一のばね、第二のばね等の外観点検を行うことができる。
【００２５】
本発明にかかる防護カバー付ばね式防振器の他の代表的な構成は、外部と接続される第一の内管と、第一の内管を嵌挿し、かつ、溶接により第一の内管に固着され、軸方向に長い一または複数の対をなすスリットを有する外管と、外管の第一の内管と反対側に嵌挿され、スリットを貫通するピンを有する第二の内管と、ピンに固定され、外管に環装され、かつ、外部と接続されるリングと、リングから第一の内管側に、外管を嵌挿して設けられる第一のばねと、リングから第二の内管側に、外管を嵌挿して設けられる第二のばねと、第一のばねの第一の内管側端部の外側かつ外管の外周上に装着される第一の調整ナットと、第二のばねの第二の内管側端部の外側かつ外管の外周上に装着される第二の調整ナットと、を備えるばね式防振器の防護カバー装置であって、第一の防護カバー部と第二の防護カバー部とからなり、第一の防護カバー部は、第一のばねの第一の内管側端部の外側かつ外管の外周上に設けられる第一のプレートと、第一のばねのリング側端部の外側かつ外管の外周上に設けられる第三のプレートと、一方が第一のプレートを移動自在に貫通し、他方が第三のプレートに接続される複数の第一のガイド棒と、一方の端部は第一のプレートに固定され、軸方向の長さは第一のプレートと第三のプレート間の最大距離以上であり、軸方向と垂直な断面における内側の線の長さは少なくともスリットを含む外管の上面を覆うことが可能な長さであって、開閉が可能な第一の防護カバー本体と、からなり、第二の防護カバー部は、第二のばねの第二の内管側端部の外側かつ外管の外周上に設けられる第二のプレートと、第二のばねのリング側端部の外側かつ外管の外周上に設けられる第四のプレートと、一方が第二のプレートを移動自在に貫通し、他方が第四のプレートに接続される複数の第二のガイド棒と、一方の端部は第二のプレートに固定され、軸方向の長さは第二のプレートと第四のプレート間の最大距離以上であり、軸方向と垂直な断面における内側の線の長さは少なくともスリットを含む外管の上面を覆うことが可能な長さであって、開閉が可能な第二の防護カバー本体と、からなることを特徴とする。
【００２６】
かかる構成によれば、系統運転中は第一の防護カバー本体および第二の防護カバー本体を広げて閉じることにより、スリットを含め、ばね式防振器の上面を第一の防護カバー本体および第二の防護カバー本体により覆うことができる。このため、スリットからばね式防振器内部へ雨水等が浸入することを防止することができる。また、ばね式防振器の外観点検時には、第一の防護カバー本体および第二の防護カバー本体をそれぞれ一方の端部側へ畳んで寄せることにより開くことができる。これにより、ばね式防振器の上面を露出させてスリット周辺、スリットを通して外部から確認可能なばね式防振器内部、第一のばね、第二のばね等の外観点検を行うことができる。
【発明の効果】
【００２７】
本発明によれば、ばね式防振器の内部点検が可能で、かつ、ばね式防振器の内部への雨水等の浸入を防止することが可能となる。
【図面の簡単な説明】
【００２８】
【図１】第一の実施形態を説明する図である。
【図２】防護カバー本体を閉めた状態を説明する図である。
【図３】防護カバー本体を開けた状態を説明する図である。
【図４】第二の実施形態を説明する図である。
【図５】第三の実施形態を説明する図である。
【図６】第四の実施形態を説明する図である。
【図７】ばね式防振器の構成を説明する図である。
【図８】ばね式防振器の動作を説明する図である。
【図９】十字型のピンを説明するための軸に垂直な断面図である。
【発明を実施するための形態】
【００２９】
以下に添付図面を参照しながら、本発明にかかるばね式防振器の防護カバー装置の好適な実施形態について詳細に説明する。なお、かかる実施形態に示す寸法、材料、その他具体的な数値などは、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００３０】
図１は、第一の実施形態を説明する図である。（ａ）はガイド部の斜視図、（ｂ）は広げた防護カバー本体の平面図、（ｃ）はガイド棒への防護カバー本体取付状態を説明する図である。第一の実施形態にかかるばね式防振器の防護カバー装置３０は、ガイド部３１および防護カバー本体３５により構成される。ガイド部３１は、防護カバー本体３５を案内支持するためのものであり、図１（ａ）に示すように、第一のプレート３２、第二のプレート３２および複数のガイド棒３４から構成される。第一のプレート３２と第二のプレート３３は対向して位置しており、それぞれ例えば矩形状であり、中央部に円形の開口部を有することにより、外管１２の外周上に設けられることが可能である。
【００３１】
ガイド棒３４は、所定の長さを有し、外管１２の外周上の所定の位置に設けられる第一のプレート３２と第二のプレート３３を接続する。第一のプレート３２とガイド棒３４は、例えば第一のプレート３２に形成されたねじ孔にガイド棒３４がねじ込まれることにより接続されている。第二のプレート３３とガイド棒３４の接続も同様である。図１では、例としてガイド棒３４の本数を４本とした場合を示している。
【００３２】
防護カバー本体３５は、例えば矩形状であり、ばね式防振器１０に取り付けられたときの軸方向の長さは第一のプレート３２と第二のプレート３３間の距離以上であり、軸方向と垂直な断面における内側の線の長さは少なくともスリット１６を含む外管１２の上面を覆うことが可能な長さである。なお、図１（ｂ）には、防護カバー装置３０をばね式防振器１０に取り付けたときに、ばね式防振器１０の第一のプレート３２と第二のプレート３３の間の部分を囲繞することが可能な大きさの防護カバー本体３５を示している。防護カバー本体３５は、ばね式防振器１０を雨水等の浸入から防ぐものであるため、防水性や撥水性の材料で構成することにより、雨水等の浸入防止の効果を高めるとともに、防護カバー本体３５自体の耐久性を向上させることができる。
【００３３】
また、防護カバー本体３５は、図１（ｂ）に示すように、例えば縦横それぞれ４列ずつ合計１６個のガイド移動部材３６を備えているとよい。ガイド移動部材３６は、図１（ｃ）に示すように、例えばガイド棒３４を挿通可能な構成を有しており、これにより防護カバー本体３５をガイド棒３４に沿って容易に開閉することが可能となる。なお、ガイド移動部材３６を備えていなくても、防護カバー本体３５の開閉は可能である。
【００３４】
図２は、防護カバー本体を閉めた状態を説明する図である。（ａ）は軸方向に沿う一部断面図、（ｂ）は（ａ）を軸の周りに９０度回転させたときの平面図（一部省略）である。防護カバー装置３０は、第一の内管１１、外管１２、第二の内管１３、第一のばね１４、第二のばね１５、スリット１６、ピン１７、リング１８、第一の調整ナット１９、および第二の調整ナット２０から構成されるばね式防振器１０に取り付けられる。ばね式防振器１０の各構成要素の機能および構成は、すでに説明した通りである。
【００３５】
第一のプレート３２および第二のプレート３３は、上述した通り外管１２の外周上に設けられるとともに、それぞれ第一のばね１４の第一の内管１１側端部の外側および第二のばね１５の第二の内管１３側端部の外側に設けられる。図２では、第一のプレート３２は、第一のばね１４の第一の内管１１側端部と第一の調整ナット１９との間で、外管１２の外周上に設けられている。また、第二のプレート３３は、第二のばね１５の第二の内管１３側端部と第二の調整ナット２０との間で、外管１２の外周上に設けられている。
【００３６】
防護カバー本体３５の一方の端部は、第一のプレート３２または第二のプレート３３に固定されている。ばね式防振器１０が傾斜して設置される場合は、防護カバー本体３５の一方の端部が固定されるプレートは、より上方に位置する方のプレートであるとよい。より上方に位置するプレートに固定されることにより、防護カバー本体３５が自重や外的要因等により開くことを防止することができる。
【００３７】
また、防護カバー本体３５の他方の端部は、第二のプレート３３または第一のプレート３２に着脱可能に接続されているとよい。これにより、ばね式防振器１０が傾斜して設置されていても、防護カバー本体３５を的確に広げて閉めておくことができる。なお、防護カバー本体３５の自重や外的要因等により、防護カバー本体３５が開くことがなければ、防護カバー本体３５の他方の端部は、第二のプレート３３または第一のプレート３２に接続されていなくてもよい。
【００３８】
図２に示すように、系統運転中は防護カバー本体３５を広げて閉じることにより、スリット１６を含め、外管１２の上面を防護カバー本体３５により覆うことができる。このため、スリット１６からばね式防振器１０内部へ雨水等が浸入することを防止することができる。なお、図２では、防護カバー本体３５によりばね式防振器１０の第一のプレート３２と第二のプレート３３の間の部分が囲繞されているが、少なくともスリット１６を含む外管１２の上面が覆われればよい。
【００３９】
図３は、防護カバー本体を開けた状態を説明する図である。（ａ）は軸方向に沿う一部断面図、（ｂ）は（ａ）を軸の周りに９０度回転させたときの平面図（一部省略）である。防護カバー本体３５の一方の端部は第一のプレート３２または第二のプレート３３に固定されているため、防護カバー本体３５をガイド棒３４に沿って、その固定されている一方の端部側へ畳んで寄せることにより開くことができる。図３では、防護カバー本体３５の一方の端部は、第二のプレート３３に固定されており、防護カバー本体３５を第二のプレート３３側へ畳んで寄せることができる。
【００４０】
ばね式防振器１０の外観点検時には、防護カバー本体３５を開くことにより、ばね式防振器１０の上面を露出させて、スリット１６周辺、スリット１６を通して外部から確認可能なばね式防振器１０内部、第一のばね１４、第二のばね１５等を目視により点検することができる。なお、防護カバー本体３５は、防護カバー本体３５の、第一のプレート３２または第二のプレート３３に固定されている端部と反対側の端部付近の表面にフック係止部３７を備えているとよい。
【００４１】
フック係止部３７は、フック棒等のフックを係止しやすいように例えばリング状の形態を有している。フック係止部３７に、フック棒等のフックを係止させることにより、防護カバー本体３５をガイド棒３４に沿って広げたり畳んだりすることができる。従って、ばね式防振器１０との距離が離れている場合でも、容易に防護カバー本体３５の開閉を行うことができる。ばね式防振器１０との距離が離れておらず、手で防護カバー本体３５の開閉を行う場合であっても、フック係止部３７を把持することにより、開閉を容易に行うことができる。
【００４２】
なお、ばね式防振器１０への防護カバー装置３０の取り付けに加えて、ばね式防振器１０の端部に水抜き孔を設けてもよい。水抜き孔を設けることにより、万が一ばね式防振器１０内部に雨水等が浸入した場合でも、浸入した雨水等を外部に排出し、雨水等がばね式防振器１０内部に滞留することを防ぐことができる。
【００４３】
図４は、第二の実施形態を説明する図である。（ａ）は軸方向に沿う一部断面図、（ｂ）は（ａ）を軸の周りに９０度回転させたときの平面図（一部省略）である。第二の実施形態にかかるばね式防振器の防護カバー装置４０が、第一の実施形態にかかる防護カバー装置３０と主に相違する点は、防護カバー本体４５が透明なことである。透明な防護カバー本体４５は、例えば、アクリルで作製することができる。系統運転中は、第一の実施形態と同様に、スリット１６を含め、ばね式防振器１０の上面は防護カバー本体４５により覆われているため、スリット１６からばね式防振器１０内部へ雨水等が浸入することを防止することができる。
【００４４】
また、ばね式防振器１０の外観点検時には、防護カバー本体４５が透明であるため、防護カバー本体４５を開くことなく、スリット１６周辺、スリット１６を通して外部から確認可能なばね式防振器１０内部、第一のばね１４、第二のばね１５等の外観点検を行うことができる。なお、汚損等により防護カバー本体４５の透明度が低下する場合は、例えば透明なフィルムを防護カバー本体４５に所定の層だけ重ねて貼着して、透明度の低下したフィルムを順次剥がすことにより、長期間、防護カバー本体４５を透明な状態に保持することができる。
【００４５】
図５は、第三の実施形態を説明する図である。（ａ）は軸方向に沿う一部断面図、（ｂ）は（ａ）を軸の周りに９０度回転させたときの平面図（一部省略）である。第三の実施形態にかかるばね式防振器の防護カバー装置５０が、第一の実施形態にかかる防護カバー装置３０と主に相違する点は、防護カバー本体５５が蛇腹状に形成されていることである。防護カバー本体５５を蛇腹状に形成することにより、防護カバー本体５５の開閉を円滑かつ容易に行うことができる。
【００４６】
図６は、第四の実施形態を説明する図である。（ａ）は軸方向に沿う一部断面図、（ｂ）は（ａ）を軸の周りに９０度回転させたときの平面図（一部省略）である。図６に示すばね式防振器９０は、ばね式防振器１０と異なり、第二の内管９３は外部と接続されておらず、代わりに、リング９８が外部に設けられた外部係止部材（中間側）１０７に係止されることにより、外部と接続されている。このため、第一の実施形態にかかる防護カバー装置３０をばね式防振器９０に取り付けようとすると、外部係止部材１０７が障害となって、適切に取り付けられない場合がある。
【００４７】
このような場合に、ばね式防振器９０に対して第四の実施形態にかかるばね式防振器の防護カバー装置６０を適用することができる。防護カバー装置６０は、第一の防護カバー部６１と第二の防護カバー部７１とから構成される。第一の防護カバー部６１は、第一のプレート６２、第三のプレート６３、複数の第一のガイド棒６４、および第一の防護カバー本体６５とから構成される。
【００４８】
第一のプレート６２および第三のプレート６３は、外管９２の外周上に対向して設けられるとともに、それぞれ第一のばね９４の第一の内管９１側端部の外側および第一のばね９４のリング９８側端部の外側に設けられる。図６では、第一のプレート６２は、第一のばね９４の第一の内管９１側端部と第一の調整ナット９９との間で、外管９２の外周上に設けられている。また、第三のプレート６３は、第一のばね９４のリング９８側端部とリング９８との間で、外管９２の外周上に設けられている。
【００４９】
複数の第一のガイド棒６４は、一方が第一のプレート６２を移動自在に貫通し、他方が第三のプレート６３に接続される。第三のプレート６３と第一のガイド棒６４は、例えば第三のプレート６３に形成されたねじ孔に第一のガイド棒６４がねじ込まれることにより接続されている。図６では、例として第一のガイド棒６４の本数を４本とした場合を示している。
【００５０】
第一の防護カバー本体６５は、その一方の端部が第一のプレート６２または第三のプレート６３に固定される。第一の防護カバー本体６５の軸方向の長さは、配管１０５の振動による第一の内管９１および外管９２の振動にあわせて第一のプレート６２と第三のプレート６３間の距離が変化して、この距離が最大になった時でもスリット９６を含むばね式防振器９０の上面を覆うことが可能なように、第一のプレート６２と第三のプレート６３間の最大距離以上とされる。第一の防護カバー本体６５の軸方向と垂直な断面における内側の線の長さは、少なくともスリット９６を含む外管９２の上面を覆うことが可能な長さである。
【００５１】
第二の防護カバー部７１は、第一の防護カバー部６１と同様の構成であるため説明を省略する。防護カバー装置６０の適用により、系統運転中は第一の防護カバー本体６５および第二の防護カバー本体７５を広げて閉じることにより、スリット９６を含め、ばね式防振器９０の上面を第一の防護カバー本体６５および第二の防護カバー本体７５により覆うことができる。このため、スリット９６からばね式防振器９０内部へ雨水等が浸入することを防止することができる。
【００５２】
また、ばね式防振器９０の外観点検時には、第一の防護カバー本体６５および第二の防護カバー本体７５をそれぞれ一方の端部側へ畳んで寄せることにより開くことができる。これにより、ばね式防振器９０の上面を露出させてスリット９６周辺、スリット９６を通して外部から確認可能なばね式防振器９０内部、第一のばね９４、第二のばね９５等の外観点検を行うことができる。
【００５３】
なお、防護カバー装置６０を構成する第一のガイド移動部材６６、第二のガイド移動部材７６、第一のフック係止部６７、および第二のフック係止部７７の機能等は、防護カバー装置３０等を構成するガイド移動部材３６やフック係止部３７、５７と同様である。但し、防護カバー装置６０においては、スリット９６周辺およびスリット９６を通してばね式防振器９０内部を点検するために、第一の防護カバー本体６５および第二の防護カバー本体７５は、スリット９６側の端部から開かれる必要があるため、第一のフック係止部６７および第二のフック係止部７７は、それぞれ第一の防護カバー本体６５および第二の防護カバー本体７５のスリット９６側の端部付近の表面に設けられるとよい。
【００５４】
また、外部係止部材１０７とばね式防振器６０との接続部において、雨水等の浸入のおそれがある場合には、当該接続部をシールするなどにより、適宜、雨水等の浸入を防止することができる。
【００５５】
上記説明した如く、本実施形態にかかるばね式防振器の防護カバー装置は、系統運転中は、スリットを含め、ばね式防振器の上面を防護カバー本体により覆うことにより、スリットからばね式防振器内部へ雨水等が浸入するのを防止することができる。このため、雨水等の浸入によるばね式防振器の腐食等を防止することができる。また、ばね式防振器の外観点検時には、防護カバー本体を開くことにより、または透明な防護カバー本体を適用することにより、スリット周辺、スリットを通して外部から確認可能なばね式防振器内部等の目視による確認を行うことができる。
【産業上の利用可能性】
【００５６】
本発明は、火力発電所や化学プラントなどで使用されている配管、特に高温、高圧の配管において地震などにより生じる振動を減衰させるために設置されているばね式防振器に利用することができる。
【符号の説明】
【００５７】
１０、９０  …ばね式防振器
１１、９１  …第一の内管
１２、８２、９２  …外管
１３、８３、９３  …第二の内管
１４、９４  …第一のばね
１５、９５  …第二のばね
１６、８６、９６  …スリット
１７、８７、９７  …ピン
１８、８８、９８  …リング
１９、９９  …第一の調整ナット
２０、１００  …第二の調整ナット
３０、４０、５０、６０  …防護カバー装置
３１  …ガイド部
３２、６２  …第一のプレート
３３、７２  …第二のプレート
３４  …ガイド棒
３５、４５、５５  …防護カバー本体
３６  …ガイド移動部材
３７、５７  …フック係止部
６１  …第一の防護カバー部
６３  …第三のプレート
６４  …第一のガイド棒
６５  …第一の防護カバー本体
６６  …第一のガイド移動部材
６７  …第一のフック係止部
７１  …第二の防護カバー部
７３  …第四のプレート
７４  …第二のガイド棒
７５  …第二の防護カバー本体
７６  …第二のガイド移動部材
７７  …第二のフック係止部
１０１  …外部係止部材（配管側）
１０２  …外部係止部材（構造物側）
１０３  …係止部
１０４  …係止ピン
１０５  …配管
１０６  …配管カバー
１０７  …外部係止部材（中間側）
ｗ  …溶接部
【図１】
2011106616.tif 000003
【図２】
2011106616.tif 000004
【図３】
2011106616.tif 000005
【図４】
2011106616.tif 000006
【図５】
2011106616.tif 000007
【図６】
2011106616.tif 000008
【図７】
2011106616.tif 000009
【図８】
2011106616.tif 000010
【図９】
2011106616.tif 000011